(57)【要約】  電気機械式腕時計またはデジタル腕時計であって、腕時計（１）は、ガラス（４）と共に腕時計ケース（６）を画定する中間部分（２）を含む。ガラス（４）はユーザの方を向く上面（８）と腕時計ケース（６）の方を向く下面（１０）とを含む。腕時計（１）はまた、非導電性素材からなり、下面（２８）およびユーザ側に配置される上面（３０）を含むダイヤル（１８；３６）を含む。時計は、１または複数の電子部品（１６、２２）を接続するための導電性経路（２６；４０）がダイヤル（１８；３６）の下面（２８）または上面（３０）の少なくとも１つに構築されることを特徴とする。  前述のダイヤルを製造するための方法も開示される。【選択図】  図１
2016538558.tif 000002
【特許請求の範囲】
【請求項１】
電気機械式腕時計またはデジタル腕時計であって、前記腕時計（１）は、ガラス（４）と共に腕時計ケース（６）を画定する中間部分（２）を含み、前記ガラス（４）はユーザの方を向く上面（８）と、前記腕時計ケース（６）の方を向く下面（１０）とを含み、前記腕時計（１）はまた、非導電性素材からなるダイヤル（１８；３６）であって、下面（２８）とユーザ側に配置される上面（３０）とを含むダイヤル（１８；３６）を含み、前記時計は、１または複数の電子部品（１６、２２）を接続するための導電性経路（２６；４０）が前記ダイヤル（１８；３６）の前記下面（２８）または上面（３０）の少なくとも１つに構築されることを特徴とする、腕時計。
【請求項２】
請求項１に記載の腕時計であって、前記腕時計はフランジ（２０；３４）を含み、前記フランジ（２０；３４）は前記導電性経路（２６）を通じて、前記ガラス（４）の前記下面（１０）に配置される電子装置と前記電子部品（１６、２２）との間の電気接続を確実にする手段を備えることを特徴とする、腕時計。
【請求項３】
請求項２に記載の腕時計であって、前記フランジ（２０）は前記ダイヤル（１８）を支持することを特徴とする、腕時計。
【請求項４】
請求項２に記載の腕時計であって、前記フランジ（３４）は前記ダイヤル（３６）と一つの部品として形成されることを特徴とする、腕時計。
【請求項５】
請求項１〜４のいずれか一項に記載の腕時計であって、前記ダイヤル（１８；３６）はガラス、プラスチック素材またはセラミック素材からなることを特徴とする、腕時計。
【請求項６】
請求項１〜５のいずれか一項に記載の腕時計であって、前記導電性経路（２６；４０）はインジウムスズ酸化物、銅、銀、アルミニウムからなるか、または導電性インクによって形成されることを特徴とする、腕時計。
【請求項７】
請求項１〜６のいずれか一項に記載の電気機械式腕時計またはデジタル腕時計用のダイヤルを製造する方法であって、前記ダイヤルは、
レーザ処理法などの方法を用いて、成形内部接続装置またはＭＩＤの形でダイヤルを得ることができ、その後電鋳法によって電極を構築する方法と、
導電性インクで印刷する方法と、または
プラスチック素材および導電性素材の二材射出成形法の後に電鋳法を行う方法と、
のいずれかによって製造されることを特徴とする、方法。
【発明の詳細な説明】
【技術分野】
【０００１】
本発明はダイヤルを含む腕時計に関する。より具体的には、本発明は腕時計ケース内に配置される少なくとも１つの電子装置を含む電気機械式腕時計またはデジタル腕時計に関する。
【背景技術】
【０００２】
本発明の意味の範囲内において、電気機械式腕時計は、電気モータによって駆動される時間に関係する量または時間に無関係の量の少なくとも１つのインジケータを含む腕時計である。さらに、デジタル腕時計とは、時間に関係する量または時間に無関係の量を表示するための少なくとも１つのデジタル装置を含む腕時計を意味する。
【０００３】
同様に、本発明の意味の範囲内において、ダイヤルは、様々な時間に関係するまたは時間に無関係の表示を保有するインジケータ部材である。
【０００４】
デジタル腕時計などの電気機械式腕時計は、時計の操作に必要な複数の個別のまたは一体化した電子部品を含む。これらの電子部品は一般に、腕時計ケース内でダイヤル面下部およびダイヤルから離れて収容されるプリント基板上に搭載される。
【０００５】
これらのプリント基板は追加の部品を構成するため、製造コストが増加し、腕時計ケースの容積内の空間を占めることになる。そのため、プリント基板をケースに収容することが困難となる場合もあると考えられる。
【発明の概要】
【０００６】
本発明の目的は、有利には、少なくとも部分的にプリント基板を省略することができるような、電気機械式腕時計またはデジタル腕時計用のダイヤルを提供することによって、他の欠点に加えて前述の欠点を克服することである。
【０００７】
この目的のため、本発明は電気機械式腕時計またはデジタル腕時計に関する。本腕時計は、ガラスと共に腕時計ケースを画定する中間部分を含む。ガラスはユーザの方を向いた上面と、腕時計ケースの方を向いた下面とを含む。腕時計はまた非導電性素材からなるダイヤルを含む。ダイヤルは下面とユーザ側に配置される上面とを含む。腕時計は、１または複数の電子部品を接続するための導電性経路が、ダイヤルの下面または上面の少なくとも１つに構築されることを特徴とする。
【０００８】
本発明の補完的特徴によれば、ダイヤルはガラス、プラスチック素材またはセラミック素材からなる。
【０００９】
これらの特徴の結果として、本発明は、ダイヤルが非導電性素材からなる腕時計を提供する。それによって、ダイヤルの上面および下面の少なくとも１つを利用して導電性経路を構築し、少なくとも１つの個別のまたは一体化した電子部品を電気接続することができる。したがって、電子腕時計部品を搭載するために必要なプリント基板の表面を省略、または少なくとも制限することが可能となる。それによって、使用するプリント基板の数および製造時間に関してコストを削減することができ、腕時計ケース内に時計ムーブメントを収容するために必要な空間を削減することができる。
【００１０】
本発明のその他の特徴および有利点は、本発明による腕時計の一実施形態の詳細な説明からさらに明らかになるであろう。本実施例は添付図を参照して非限定的な例示を示すためにのみ提示される。
【図面の簡単な説明】
【００１１】
【図１】本発明によるダイヤルを備える腕時計の断面である。
【図２】本発明の変形実施形態によるダイヤルを備える腕時計の断面である。
【発明を実施するための形態】
【００１２】
本発明は一般的な独創的なアイデアを起点とする。このアイデアは、非導電性素材からなる腕時計ダイヤルの上面および下面の１および／または他方の面を用いて、腕時計の操作に必要な個別のまたは一体化した電子部品を接続するための導電性経路を構築することからなる。その結果として、プリント基板の表面を省略、または少なくとも制限することが可能であり、それによって製造時間およびコストを削減し、時計のムーブメントを腕時計ケース内部に収容するために必要な空間を削減することができる。
【００１３】
ガラスを含む時計を参照して本発明を説明する。ガラスの下面には触覚性のキーが構築されている。いうまでもなく、この例は単に非限定的な例示であり、本発明による腕時計ダイヤルを用いて、任意の種類の電子装置を腕時計ケース内に内蔵することができる。
【００１４】
本特許出願に添付される図１は、本発明によるダイヤルを備える腕時計ケースの断面図である。全体として一般的な参照番号１によって指定される本腕時計は、腕時計のガラス４と共に腕時計ケース６を画定する中間部分２を含む。
【００１５】
腕時計ガラス４は腕時計１のユーザに面する上面８、および腕時計ケース６に面する下面１０を有する。電子装置はガラス４の下面１０に配置される。電子装置は任意の種類の装置であってもよい。本装置はデジタルディスプレイ装置、たとえば透明な、ＩＴＯとして既知のインジウムスズ酸化物などの導電性素材からなる液晶ディスプレイ、または（図１参照）第１の導電性経路１２であってもよい。これらの第１の導電性経路１２の機能はガラス４の表面上に触覚キーを形成することである。触覚キーは静電容量の変化に感度が良く、ユーザは指１４を使うことによって、命令を電子触覚キー管理回路１６に入力することができる。本電子管理回路１６は、腕時計ケース６内に収容される本発明のダイヤル１８の下面に、第１の導電性経路１２の下部および第１の導電性経路１２から離れて搭載され、フランジ２０によって支持される。アセンブリは電子回路２２によって補完される。電子回路２２は、電子管理回路１６が提示する命令にしたがって時計の機能または他の機能の実行を制御する。
【００１６】
第１の導電性経路１２は、ガラス４の下面１０からダイヤル１８まで転移されなければならない第１の電気接触パッド２４を画成する。本発明によれば、ダイヤル１８はこのために第２の導電性経路２６を含む。第２の導電性経路２６は電気接触パッド２４に対応し、電子管理回路１６および電子制御回路２２に接続する。図に示す実施例では、第２の導電性経路２６はダイヤル１８の下面２８にのみ構築される。ただし、言うまでもなく、特に導電性経路が透明な場合は、導電性経路はダイヤル１８の上面３０上にも構築可能である。
【００１７】
図に例示されるように、ほぼ円形のフランジ２０は、腕時計１のガラス４下部にこの目的のために設けられてもよい。本フランジ２０は非導電性素材からなり、電気パッド２４と第２の導電性経路２６との間の電気接続を確実に得ることができる手段を含まなければならない。これらの電気接続手段は第３の導電性経路３２によって形成される。第３の導電性経路３２は一方では電気接触パッド２４と接触し、他方では第２の電気導電性経路２６と接触する。フランジ２０上に配置される第３の導電性経路３２とダイヤル１８の表面下部に配置される第２の導電性経路２６との間で良好な電気接触を確実に得るために、貫通穴または孔３４は、フランジ２０がダイヤル１８を支持する区域でフランジ２０に配置される。変形例によると、これらの第３の導電性経路３２が第２の導電性経路２６に面する場所で、第３の導電性経路３２上に隆起を構築することも考案可能である。
【００１８】
ダイヤル１８がガラス、プラスチック素材、またはセラミック素材などの非導電性素材からなる事例において、第２の導電性経路２６は、たとえばＩＴＯ層のフォトリソグラフィ構造によって製造されてもよい。第２の導電性経路２６はまた、たとえばレーザ処理法などの方法を用いて、銅、銀またはアルミニウムから製造されてもよい。それによって、成形内部接続装置またはＭＩＤが得られる。その後、電鋳法によって第２の導電性経路２６が構築される。変形例によると、第２の導電性経路２６をダイヤル１８の表面上に導電性インクで印刷することによって構築することも可能である。プラスチック素材および導電性素材の二材射出成形法の後に電鋳法を行い、ダイヤル１８を作成することも考案可能である。
【００１９】
いうまでもなく、本発明は上記に述べた実施形態に限定されるものではなく、当業者には添付請求項に規定する本発明の範囲から逸脱することなく、様々な簡潔な修正および変形が考案可能である。特に、Ｔ−Ｔｏｕｃｈ（登録商標）の商標名で販売されている腕時計などの製品において、ガラスの下面に構築される触覚キーと電子触覚キー管理回路との間の電気接続もまた、エラストマコネクタによって実現されてもよいことが理解されよう。このエラストマコネクタはＺｅｂｒａ（登録商標）コネクタの商標名としても既知である。これらのエラストマコネクタは、一般にエラストマからなる導電層と絶縁層を交互に重ねた一連の層から形成され、高密度電気経路接続を提供する。本発明によるダイヤル上に構築される導電性経路は必ずしも、腕時計ガラスの下面に配置される触覚キーを、ダイヤルに固定される電子管理および制御回路に接続するように機能しないことも明らかである。したがって、ダイヤル面の下面および上面の１および／または他方上の導電性経路が互いに接続すること、たとえば、腕時計ケース容積内に収容される電気ステッピングモータなどの部品の電子管理および制御回路と接続するように構築することは完全に考案可能である。
【００２０】
図２は本発明の変形実施形態によるダイヤルを備える腕時計の断面図である。以下の説明において、図１を参照して前述した要素と同一の任意の要素は同じ符号で指定する。図２の検証から明らかなように、フランジ３４はダイヤル３６と一つの部品として形成されている。このフランジ３４／ダイヤル３６のアセンブリは非導電性素材からなり、ガラス４の下面１０に配置される電気接触パッド２４とフランジ３４／ダイヤル３６のアセンブリの下面３８に搭載される電子管理回路１６および制御回路２２との間で確実に電気接続できなければならない手段を含む。この目的のため、導電性経路４０はフランジ３４／ダイヤル３６のアセンブリの下面３８または上面４２の少なくとも１つに配置され、電気接触パッド２４が電子管理回路１６および電子制御回路２２に電気的に接続できるようにする。図に示す実施例では、導電性経路４０はフランジ３４／ダイヤル３６のアセンブリの下面３８のみに構築されている。ただし、言うまでもなく、特に、これらの導電性経路が透明な場合は、導電性経路はフランジ３４／ダイヤル３６のアセンブリの上面４２上にも構築されてもよい。フランジ３４／ダイヤル３６のアセンブリがガラス、プラスチック素材またはセラミック素材などの非導電性素材からなる場合は、導電性経路４０は、たとえばＩＴＯ層のフォトリソグラフィ構造で形成されてもよい。導電性経路４０は、たとえばレーザ処理法などの方法を用いて銅、銀またはアルミニウムから製造されてもよい。それによって、成形内部接続装置またはＭＩＤを得ることができる。その後、導電性経路４０は電鋳法によって構築される。変形例によると、導電性経路４０を導電性インクで印刷することによって、フランジ３４／ダイヤル３６のアセンブリの表面に構築することも可能である。フランジ３４／ダイヤル３６のアセンブリをプラスチック素材および導電性素材の二材射出成形法によって形成し、その後電鋳法を行うことも考案可能である。図２を参照して上記で記載した本実施形態は、ガラスの下面に配置される電子部品をダイヤルに固定される他の電子部品に接続することが必要な場合に、フランジとダイヤル間の接続を確実にするために通常用いられる隆起または孔状の接続要素を用いる必要がないという特定の有利点を有することが理解されよう。
【図１】
2016538558.tif 000003
【図２】
2016538558.tif 000004
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
電気機械式腕時計またはデジタル腕時計であって、前記腕時計（１）は、ガラス（４）と共に腕時計ケース（６）を画定する中間部分（２）を含み、前記ガラス（４）はユーザの方を向く上面（８）と、前記腕時計ケース（６）の方を向く下面（１０）とを含み、前記腕時計（１）はまた、非導電性素材からなるダイヤル（１８；３６）であって、下面（２８）とユーザ側に配置される上面（３０）とを含むダイヤル（１８；３６）と、前記ダイヤル（１８；３６）の前記下面（２８）または上面（３０）の少なくとも１つに構築される１または複数の電子部品（１６、２２）を接続するための導電性経路（２６；４０）とを含み、前記腕時計はフランジ（２０；３４）を含み、前記フランジ（２０；３４）は前記導電性経路（２６）を通じて、前記ガラス（４）の前記下面（１０）に配置される電子装置と前記電子部品（１６、２２）との間の電気接続を確実にする手段を備え、前記フランジ（２０）は前記ダイヤル（１８）を支持することを特徴とする、腕時計。
【請求項２】
電気機械式腕時計またはデジタル腕時計であって、前記腕時計（１）は、ガラス（４）と共に腕時計ケース（６）を画定する中間部分（２）を含み、前記ガラス（４）はユーザの方を向く上面（８）と、前記腕時計ケース（６）の方を向く下面（１０）とを含み、前記腕時計（１）はまた非導電性素材からなるダイヤル（１８；３６）であって、下面（２８）とユーザ側に配置される上面（３０）とを含むダイヤル（１８；３６）と、前記ダイヤル（１８；３６）の前記下面（２８）または上面（３０）の少なくとも１つに構築される１または複数の電子部品（１６、２２）を接続するための導電性経路（２６；４０）とを含み、前記腕時計はフランジ（２０；３４）を含み、前記フランジ（２０；３４）は前記導電性経路（２６）を通じて、前記ガラス（４）の前記下面（１０）に配置される電子装置と前記電子部品（１６、２２）との間の電気接続を確実にする手段を備え、前記フランジ（３４）は前記ダイヤル（３６）と一つの部品として形成されることを特徴とする、腕時計。
【請求項３】
請求項１または２に記載の腕時計であって、前記ダイヤル（１８；３６）はガラス、プラスチック素材またはセラミック素材からなることを特徴とする、腕時計。
【請求項４】
請求項１〜３のいずれか一項に記載の腕時計であって、前記導電性経路（２６；４０）はインジウムスズ酸化物、銅、銀、アルミニウムからなるか、または導電性インクによって形成されることを特徴とする、腕時計。
【国際調査報告】
2016538558.tif 000005
2016538558.tif 000006
2016538558.tif 000007
2016538558.tif 000008
2016538558.tif 000009
2016538558.tif 000010